(57)【要約】【課題】利便性が高い電子ペン、およびこれを用いた電子ペン入力システムを提供する。【解決手段】電子ペン１０は、帳票４０上のドットパターン４１を読取る読取ユニット１３、ドットパターン４１を用いて電子ペン１０が帳票４０上を移動した軌跡のデータを取得するプロセッサ１２、メモリ１７、およびモード切替ボタン１１等を備える。電子ペン１０では、モード切替ボタン１１の操作を行うことで、電子ペン１０が帳票４０上を移動した軌跡を記入ストロークデータとして取得しメモリ１７に記憶する記入モードと、電子ペン１０が帳票４０上を移動した軌跡を記入ストロークデータの消去に用いる消去ストロークデータとして取得する消去モードとを切り替えることができる。【選択図】図２
2014035557.tif 000002
【特許請求の範囲】
【請求項１】
対象物に形成された、前記対象物上の位置に対応するパターンを読取ることにより、前記対象物上を移動した軌跡をデータ化する電子ペンであって、
前記パターンの読取を行う読取手段と、
前記読取手段で読取った前記パターンを用いて、前記電子ペンが前記対象物上を移動した軌跡をデータ化する制御手段と、
前記電子ペンが前記対象物上を移動した軌跡を、記入ストロークデータとしてデータ化する記入モードと、前記電子ペンが前記対象物上を移動した軌跡を、前記記入ストロークデータの消去に用いる消去ストロークデータとしてデータ化する消去モードとを切り替えるモード切替手段と、
を備えることを特徴とする電子ペン。
【請求項２】
前記制御手段は、前記消去ストロークデータに従って、前記記入ストロークデータの一部または全部を消去することを特徴とする請求項１記載の電子ペン。
【請求項３】
視覚的に消去可能なインクを用いた筆記手段を更に備えることを特徴とする請求項１または請求項２に記載の電子ペン。
【請求項４】
対象物上の位置に対応するパターンが形成された対象物と、前記パターンを読取ることにより、前記対象物上を移動した軌跡をデータ化する電子ペンと、による電子ペン入力システムであって、
前記電子ペンが、
前記パターンの読取を行う読取手段と、
前記読取手段で読取った前記パターンを用いて、前記電子ペンが前記対象物上を移動した軌跡をデータ化する制御手段と、
前記電子ペンが前記対象物上を移動した軌跡を、記入ストロークデータとしてデータ化する記入モードと、前記電子ペンが前記対象物上を移動した軌跡を、前記記入ストロークデータの消去に用いる消去ストロークデータとしてデータ化する消去モードとを切り替えるモード切替手段と、
を備えることを特徴とする電子ペン入力システム。
【発明の詳細な説明】
【技術分野】
【０００１】
本発明は、電子ペンおよび電子ペンを用いた電子ペン入力システムに関する。
【背景技術】
【０００２】
帳票等の記入の際、電子ペンが用いられることがある。電子ペンはデジタルペンとも呼ばれ、専用紙と組み合わせて使用される。専用紙には、用紙上の位置に対応するドットパターンが印刷される。電子ペンは、専用紙への筆記時にペン先近傍の専用紙上のドットパターンを読取り、これに基づいて、筆記時のペン先の軌跡（ストローク）をデータ化したストロークデータを作成する。このストロークデータはサーバ等の外部装置へ送信され、文字変換等の処理が行われる。これにより、記入内容の電子化の負担が軽減される（特許文献１、２、３等参照）。
【先行技術文献】
【特許文献】
【０００３】
【特許文献１】特開２００７−１０２４０３号公報
【特許文献２】特表２００３−５２８３８７号公報
【特許文献３】特開２００３−３３５０８２号公報
【発明の概要】
【発明が解決しようとする課題】
【０００４】
現在、このような電子ペンについて、利便性をより高めることが望まれている。例えば、電子ペンでは、記入内容の修正を行う際に上記のストロークデータも修正する必要がある。しかしながら、従来の電子ペンでは、ストロークデータを修正するために、専用紙上の所定領域内をチェックし、誤った筆記部分に対応するストロークデータを消去する消去モードに切り替えたり、修正のための別の領域あるいは用紙に正しい内容の筆記を行い、これに対応するストロークデータを作成することが必要であった。
【０００５】
従って、修正を行おうとする場合には、電子ペンを移動させて、消去モードに切り替えるための所定領域や、修正のための別の領域あるいは用紙に筆記箇所を移行しなくてはならず、利用者にとっては煩雑な動作になり、利便性が低下する要因となっていた。
【０００６】
本発明は、以上の点を鑑みてなされたものであり、利便性が高い電子ペン、およびこれを用いた電子ペン入力システムを提供することを目的とする。
【課題を解決するための手段】
【０００７】
前述した目的を達成するための第１の発明は、対象物に形成された、前記対象物上の位置に対応するパターンを読取ることにより、前記対象物上を移動した軌跡をデータ化する電子ペンであって、前記パターンの読取を行う読取手段と、前記読取手段で読取った前記パターンを用いて、前記電子ペンが前記対象物上を移動した軌跡をデータ化する制御手段と、前記電子ペンが前記対象物上を移動した軌跡を、記入ストロークデータとしてデータ化する記入モードと、前記電子ペンが前記対象物上を移動した軌跡を、前記記入ストロークデータの消去に用いる消去ストロークデータとしてデータ化する消去モードとを切り替えるモード切替手段と、を備えることを特徴とする電子ペンである。
【０００８】
本発明では、電子ペンに備えられたモード切替手段により、利用者が手元で記入モードと消去モードを切り替えることができるので、記入内容の修正時、モードの切替のために前記のように電子ペンを移動させて所定領域にチェックを入れる必要もなく、利便性が高い。
【０００９】
前記制御手段は、前記消去ストロークデータに従って、前記記入ストロークデータの一部または全部を消去することが望ましい。
【００１０】
これにより、記入ストロークデータのデータ量が少なくなるので、電子ペンで記憶するデータ量も小さくでき、電子ペンから外部装置へデータを送信する際にかかる時間も短くできる。また、外部装置のデータ容量も小さくでき、文字変換等の処理時間も短くなり、負担を軽減できる。
【００１１】
また、第１の発明の電子ペンは、視覚的に消去可能なインクを用いた筆記手段を更に備えることが望ましい。
【００１２】
これにより、対象物上の１つの領域で、誤った筆記部分を消して正しい内容の筆記を行うことができるので、修正用に別の領域や用紙を使用せずとも、筆記部分の修正と記入ストロークデータの修正を行える。また、別の領域や用紙を修正のために使用する場合、当初筆記を行った領域や用紙と、修正に用いた領域や用紙を、現実においても記入ストロークデータにおいても対応させる必要がある。しかし、対象物上の１つの領域で誤った筆記部分を消して正しい内容の筆記を行う場合は、そのような必要もないので、利便性を高めることができる。
【００１３】
前述した目的を達成するための第２の発明は、対象物上の位置に対応するパターンが形成された対象物と、前記パターンを読取ることにより、前記対象物上を移動した軌跡をデータ化する電子ペンと、による電子ペン入力システムであって、前記電子ペンが、前記パターンの読取を行う読取手段と、前記読取手段で読取った前記パターンを用いて、前記電子ペンが前記対象物上を移動した軌跡をデータ化する制御手段と、前記電子ペンが前記対象物上を移動した軌跡を、記入ストロークデータとしてデータ化する記入モードと、前記電子ペンが前記対象物上を移動した軌跡を、前記記入ストロークデータの消去に用いる消去ストロークデータとしてデータ化する消去モードとを切り替えるモード切替手段と、を備えることを特徴とする電子ペン入力システムである。
【発明の効果】
【００１４】
本発明により、利便性が高い電子ペン、およびこれを用いた電子ペン入力システムを提供することができる。
【図面の簡単な説明】
【００１５】
【図１】電子ペン入力システム１を示す図
【図２】電子ペン１０のハードウエア構成図
【図３】プロセッサ１２の処理を示すフローチャート
【図４】電子ペン１０による記入および修正の例を示す図
【図５】消去部分の指定方法の例を示す図
【図６】電子ペン３０の外観と使用形態を示す図
【図７】電子ペン３０のハードウエア構成図
【発明を実施するための形態】
【００１６】
以下図面に基づいて、本発明の実施形態を詳細に説明する。なお、以下の説明および添付図面において、略同一の機能構成を有する構成要素については、同一の符号を付し、重複説明を省略する。
【００１７】
［第１の実施形態］
（電子ペン入力システム１）
まず、本発明の第１の実施形態に係る電子ペン入力システム１について説明する。図１は、電子ペン入力システム１を示す図である。電子ペン入力システム１は、電子ペン１０と電子ペン１０用の帳票４０からなる。
【００１８】
電子ペン１０は、利用者が帳票４０上に文字などを筆記するためのものである。この際、電子ペン１０は、電子ペン１０のペン先が帳票４０上を移動した軌跡をデータ化する。
【００１９】
帳票４０は、電子ペン１０による記入を行う対象物である。帳票４０の表面には、帳票４０上の位置に対応するドットパターン４１が、印刷等によりほぼ全面に形成されている。
【００２０】
ドットパターン４１の詳細については特許文献１等に記載されているが、簡単に説明を行うと、ドットパターン４１は、多数のドット４２を格子線４３上に配列したものである。ドットパターン４１は、各ドット４２が格子線４３の交点４３ａに対しいずれの方向にあるかをパターンデータとしてデータ化できる。本実施形態では、このパターンデータが、ドットパターン４１が存在する帳票４０上の位置に対応する。
【００２１】
ドットパターン４１は、赤外線を吸収するインクで印刷される。このインクには、例えば、赤外線を吸収するカーボンブラックを含んだインクを使用できる。また、帳票４０上には、電子ペン１０内のデータをサーバに送信する際にチェックするための送信ボックス４４が形成されている。
【００２２】
なお、本実施形態ではドットパターン４１を帳票４０に形成しているが、これに限らず、帳票４０上の位置に対応するパターンであればドットパターン４１に替えて用いることができる。また、電子ペン１０で記入を行う対象物も、このようなパターンが形成されているものなら帳票４０に限らない。
【００２３】
電子ペン１０は、外観上、モード切替ボタン１１、読取ユニット１３、インクペンユニット１９を有する。
【００２４】
モード切替ボタン１１は、電子ペン１０で文字などを帳票４０に筆記する際のペン先の軌跡をデータ化して、記入ストロークデータを作成する記入モードと、記入ストロークデータの一部または全部を消去部分として特定するために、電子ペン１０による帳票４０上への筆記を行ってペン先の軌跡をデータ化し、消去ストロークデータを作成する消去モードとを切り替えるモード切替手段である。記入モードおよび消去モードにおける処理の詳細については後述する。
【００２５】
利用者は、モード切替ボタン１１を操作して記入モードまたは消去モードのどちらかを選択できる。例えば、モード切替ボタン１１を押下するごとに記入モードと消去モードとを切り替えることができる。
モード切替ボタン１１は、例えば、記入モード時には押下されて押し込まれた状態で固定されるものとし、消去モード時には再押下によって元の位置に戻されるようにすれば、モード切替ボタン１１の状態を視認することにより記入モードか消去モードかが確認容易となる。
【００２６】
読取ユニット１３は、赤外線をペン先近傍の帳票４０上に照射し、帳票４０から反射される赤外線を受光して撮像を行うことで、ドットパターン４１を画像データとして読み取る読取手段である。読取ユニット１３の詳細については後述する。
【００２７】
インクペンユニット１９は、帳票４０への筆記のために、ペン先にインクを供給する筆記手段である。本実施形態では、このインクとして、インク自身が視覚的に消去可能なものを用いる。視覚的に消去可能なインクとしては様々なものが従来公知であるが、例えば株式会社パイロットコーポレーションの「フリクションインキ」など、熱により透明化するものが挙げられる。この場合は、インクを用いて筆記を行った後にゴムでこするなどして一定の熱を与えると透明化して視覚的に消去される。ただし、インクはこれに限られることはない。
【００２８】
図２は電子ペン１０のハードウエア構成を示す図である。図２に示すように、電子ペン１０は、モード切替ボタン１１、プロセッサ１２、読取ユニット１３、圧力センサ１６、メモリ１７、および送信ユニット１８を有する。なお、電子ペン１０は、この他、電子ペン１０の電源であるバッテリー（図示せず）や筆記用のインクを貯めておくインクカートリッジ（図示せず）なども有する。
【００２９】
モード切替ボタン１１は、前記したように、電子ペン１０の記入モードと消去モードとを切り替えるためのものである。利用者のモード切替ボタン１１の操作により、選択されたモードを示す信号がプロセッサ１２に送られる。
【００３０】
読取ユニット１３は、光源１４およびカメラ１５を有する。
光源１４は、赤外線をペン先近傍の帳票４０上に照射するものである。光源１４としては、例えばＬＥＤなどを用いることができる。
カメラ１５は帳票４０から反射される赤外線を受光して撮像を行い画像データを取得するものである。カメラ１５としては、赤外線領域に感度を有するものであれば特に限定されることなく使用可能である。
【００３１】
読取ユニット１３は、電子ペン１０により帳票４０へ筆記を行う間、１秒間に１００回程度の撮像を行い、その都度画像データをプロセッサ１２へ送る。画像データでは、赤外線が吸収されるドットパターン４１の部分と、赤外線を反射するそれ以外の部分とでコントラストができるので、画像処理によるドットパターン４１の認識が可能である。
【００３２】
プロセッサ１２は、電子ペン１０の各部から送られる信号あるいはデータに基づいて種々の処理を行う制御手段である。特に本実施形態では、読取ユニット１３で読取ったドットパターン４１の画像データから、ドットパターン４１のパターンデータを算出し、これに対応する帳票４０上の位置情報を取得する。そして、取得した位置情報を時系列順にメモリ１７に記憶する。このようにして、電子ペン１０による筆記時にペン先が移動した軌跡がデータ化される。
【００３３】
圧力センサ１６は、利用者が電子ペン１０で帳票４０上に筆記する際に、ペン先に与えられる筆圧を検出し、筆圧検出信号をプロセッサ１２に送る。
【００３４】
メモリ１７は、ペン先が移動した軌跡のデータを記憶する。
本実施形態では、このデータとして、記入モード時の電子ペン１０のペン先の軌跡を示す記入ストロークデータと、消去モード時のペン先の軌跡を示す消去ストロークデータがあるが、これについては後述する。
【００３５】
送信ユニット１８は、有線通信または無線通信により、メモリ１７内の記入ストロークデータを外部のサーバ５０に送信する。
【００３６】
サーバ５０は、電子ペン１０から受信した記入ストロークデータを解析し、文字情報に変換する。こうして利用者の記入内容のデータを作成し、ハードディスク等の記憶装置に蓄積する。
【００３７】
（電子ペン１０による記入および修正）
次に、電子ペン１０による記入および修正の方法について、図３、４を参照して説明する。図３は、電子ペン１０による記入および修正時にプロセッサ１２が実行する処理を示すフローチャートである。図４は電子ペン１０による記入および修正の例を示す図であり、図４（ａ）〜（ｄ）において、左図は帳票４０の状態、右図は各時点でメモリ１７に記憶されるデータを示す。
【００３８】
帳票４０に文字などを筆記する時、利用者はモード切替ボタン１１を操作して記入モードにする。プロセッサ１２は、モード切替ボタン１１から送られた信号に従って、記入モードか消去モードかを判定しており（Ｓ１）、ここでは、モード切替ボタン１１から送られた信号に従って、記入モードであると判定する（Ｓ１：記入モード）。
【００３９】
次いで、利用者は電子ペン１０を用いて帳票４０へ筆記を行う。ここでは、図４（ａ）の左図に示すように、文字「講」を筆記するものとする。
【００４０】
電子ペン１０の圧力センサ１６は、利用者の筆記に伴い、ペン先の筆圧を検出したことを示す筆圧検出信号をプロセッサ１２に送信する。プロセッサ１２は、圧力センサ１６から筆圧検出信号が送られると、読取ユニット１３内の光源１４とカメラ１５を作動させ、筆圧検出信号が送られている間、１／１００秒程度の間隔でドットパターン４１の画像データを読み取る（Ｓ２）。
【００４１】
前記の通り、プロセッサ１２はドットパターン４１のパターンデータを算出し、これに対応する帳票４０上の位置情報を取得する（Ｓ３）。位置情報の取得は、例えば、ドットパターン４１のパターンデータと帳票４０上の位置との対応関係を予めメモリ１７等に記憶させておき、これを参照して行うことができる。
【００４２】
そして、プロセッサ１２は、Ｓ３で取得した位置情報を時系列順にメモリ１７に記憶する。このようにして、図４（ａ）の右図に示すように、文字「講」に対応する記入ストロークデータ５１が作成され、メモリ１７に記憶される（Ｓ４）。
【００４３】
記入ストロークデータ５１をサーバ５０に送信するためには、利用者は、帳票４０上の送信ボックス４４に何らかの筆記を行いチェックを入れればよい。プロセッサ１２は、前記と同様に、読取ユニット１３から送られた画像データからドットパターン４１のパターンデータを算出し、これが送信ボックス４４の位置に対応する場合には、送信ボックス４４に記入が行われたとして（Ｓ５：Ｙｅｓ）、メモリ１７内の記入ストロークデータ５１をサーバ５０に送信し（Ｓ６）、処理を終了する。なお、送信ボタン等の送信手段を電子ペン１０に別途設けておき、その操作によりデータ送信を行うことも可能である。
【００４４】
利用者が筆記を続ける場合（Ｓ５：Ｎｏ、Ｓ１：記入モード）には、前記したＳ２〜Ｓ４の処理を繰り返す。一方、利用者が記入内容を修正する場合は、まず、モード切替ボタン１１を操作して消去モードに切り替える。すると、プロセッサ１２は、モード切替ボタン１１から送られた信号に従って、消去モードであると判定する（Ｓ５：Ｎｏ、Ｓ１：消去モード）。
【００４５】
次いで、利用者は電子ペン１０を用いて、図４（ｂ）の左図に示すように、筆記された文字「講」のうち、消去したい部分を囲むように線４５を筆記する。プロセッサ１２は、線４５の筆記に伴って圧力センサ１６から筆圧検出信号が送られている間、読取ユニット１３を作動させてドットパターン４１の画像データを読み取る（Ｓ７）。
【００４６】
プロセッサ１２は、前記と同様、ドットパターン４１のパターンデータを算出し、このパターンデータに対応する帳票４０上の位置情報を取得する（Ｓ８）。そして、この位置情報を時系列順にメモリ１７に記憶する。こうして、図４（ｂ）の右図に示すように、線４５に対応する消去ストロークデータ５２が作成され、メモリ１７に記憶される（Ｓ９）。
【００４７】
次に、プロセッサ１２は、消去ストロークデータ５２に従って、記入ストロークデータ５１の消去部分を特定する（Ｓ１０）。ここでは、消去ストロークデータ５２が示す線４５の内部に位置する記入ストロークデータ５１の部分が、消去部分５１ａ（図４（ｂ）の右図参照）として特定される。この消去部分５１ａは、文字「講」のうち線４５で囲まれた「言」の筆記部分に対応する。
【００４８】
次に、プロセッサ１２は、メモリ１７に記憶された記入ストロークデータ５１のうち、消去部分５１ａをメモリ１７から消去する（Ｓ１１）。なお、ここでは消去ストロークデータ５２もメモリ１７から消去される。
【００４９】
その後、利用者は、図４（ｃ）の左図に示すように、線４５と、線４５で囲んだ範囲の筆記部分「言」のインクを視覚的に消去する。この時点では、図４（ｃ）の右図に示すように、メモリ１７には当初の記入ストロークデータ５１から消去部分５１ａを除いた残りの部分５１ｂが記憶されている状態である。
【００５０】
その後、利用者は電子ペン１０のモード切替ボタン１１により記入モードに切り替えて（Ｓ５：Ｎｏ、Ｓ１：記入モード）、修正内容を前記と同様に電子ペン１０を用いて筆記する。
【００５１】
図４（ｄ）の左図に示すように、ここでは、文字「構」に修正すべく修正内容として「木」を筆記するものとする。この際のプロセッサ１２の処理は、Ｓ２〜Ｓ４と同様であり、図４（ｄ）の右図に示すように、筆記部分「木」に対応する部分５１ｃが記入ストロークデータ５１として新たに作成されてメモリ１７に記憶される。
【００５２】
そして、利用者が送信ボックス４４に記入した場合には、修正後の記入ストロークデータ５１が、外部のサーバ５０に送信されることになる(Ｓ５：Ｙｅｓ、Ｓ６）。サーバ５０での処理は、前記と同様である。
【００５３】
以上説明したように、本実施形態によれば、電子ペン１０に備えられたモード切替ボタン１１により、利用者が手元のボタン操作によって、記入モードと消去モードの切替が簡単にできる。従って、記入内容の修正時、従来のようにモードの切替のために電子ペン１０を移動させて所定領域にチェックを入れる必要もなく、利便性が高い。
【００５４】
また、プロセッサ１２の処理によって、消去ストロークデータ５２に従って記入ストロークデータ５１の一部または全部を消去部分５１ａとして特定し、この消去部分５１ａをメモリ１７から消去するので、メモリ１７に記憶されるデータの量が少なくなり、電子ペン１０から外部のサーバ５０にデータを送信する際にかかる時間を短くできる。
【００５５】
例えば、１０個の文字を記入し、そのうち１個の文字を消して、更にその文字を書き直す場合、従来の電子ペンでは１０文字分の記入ストローク５１、１文字分の消去ストローク５２および修正時に筆記した１文字分の記入ストローク５１、すなわち合計１２文字分のデータを送信していた。しかしながら、本実施形態の電子ペン１０では、上記したプロセッサ１２の処理によって、１０文字分の記入ストローク５１のデータが送信されることになる。従って、従来に比べ電子ペン１０から送信されるデータの量は約２０％少なくなり、その分送信時間も短縮される。また、サーバ５０では、電子ペン１０から送信されるデータ量が少ないので、記憶装置の容量を小さくでき、また、サーバ５０での処理時間も短くなり、負荷も軽減する。
【００５６】
また、本実施形態の電子ペン１０は、消去可能なインクを用いるので、帳票４０上の１つの領域で、誤った筆記部分を消して正しい内容の筆記を行うことができる。従って、修正用に別の領域や帳票４０を使用せずとも、実際の筆記部分の修正と記入ストロークデータ５１の修正を行える。また、別の領域や帳票４０を修正のために使用する場合、当初筆記を行った領域や帳票４０と、修正に用いた領域や帳票４０を、現実においても記入ストロークデータ５１においても対応させる必要があるが、本実施形態ではそのような必要もないので、利便性を高めることができる。
【００５７】
ただし、本発明は上記の実施形態に限ることはない。例えば、記入ストロークデータ５１の消去部分を電子ペン１０側で消去せず、サーバ５０側で消去することも可能である。この場合は、当初の記入ストロークデータ５１、消去ストロークデータ５２、および修正内容の記入ストロークデータ５１をメモリ１７に記憶し、これらのデータをサーバ５０に送信する。サーバ５０は、上記と同様にして消去ストロークデータ５２から当初の記入ストロークデータ５１の消去部分を特定して消去し、残った記入ストロークデータ５１と、修正内容の記入ストロークデータ５１をあわせて、文字情報に変換できる。
【００５８】
さらに、本実施形態の電子ペン１０では、赤外線をドットパターン４１の読取に用いたが、これに限らず、従来公知の種々の方法を用いてドットパターン４１の読取を行うことが可能である。
【００５９】
また、本実施形態では、利用者が記入ストロークデータ５１の消去部分を指定する場合に、該当する筆記部分を線４５で囲む例を説明したが、これに限ることはない。例えば、斜線や塗りつぶしによって指定してもよい。
【００６０】
図５（ａ）は、斜線４６により消去部分を指定する例である。この場合は、例えば、斜線４６の消去ストロークデータ５２の開始部分と終了部分を頂点とする矩形領域（図の点線で示す）に囲まれた範囲を、記入ストロークデータ５１の消去部分として指定することができる。
図５（ｂ）は、塗りつぶし４７によって消去部分を指定する例である。この場合は、例えば、塗りつぶし４７の消去ストロークデータ５２と位置が重複する記入ストロークデータ５１の部分を、消去部分として特定することができる。
【００６１】
また、本実施形態では、モード切替手段としてモード切替ボタン１１を用いたが、スイッチ等を用いることも可能である。さらに、その他の構成をモード切替手段として用いることもできる。以下、その例を第２の実施形態として説明する。
【００６２】
［第２の実施形態］
図６は、第２の実施形態に係る電子ペン３０とその使用形態を示す図である。図６に示すように、電子ペン３０は、一端に第１の実施形態と同様のインクペンユニット１９および読取ユニット１３を有するが、他端にもインクペンユニット３９および読取ユニット３３が設けられている点で第１の実施形態と異なる。これらインクペンユニット３９および読取ユニット３３は、インクペンユニット１９および読取ユニット１３とそれぞれ同様のものである。
【００６３】
図７は電子ペン３０のハードウエア構成図である。図７に示すように、電子ペン３０は、読取ユニット１３、３３、圧力センサユニット３１、メモリ１７、プロセッサ１２、送信ユニット１８等を有する。
【００６４】
読取ユニット３３は光源３４とカメラ３５を有する。これら光源３４とカメラ３５は、それぞれ読取ユニット１３の光源１４とカメラ１５と同様のものである。
【００６５】
また、圧力センサユニット３１は、インクペンユニット１９用の圧力センサ１６に加えて、インクペンユニット３９用の圧力センサ３６を有する。
【００６６】
第１の実施形態では、利用者がモード切替ボタン１１を操作することによって記入モードと消去モードとを切り替えたが、本実施形態では利用者が電子ペン３０のインクペンユニット１９側とインクペンユニット３９側とを使い分ける。インクペンユニット１９は記入時に用い、インクペンユニット３９は消去時に用いるものとする。
【００６７】
図６（ａ）に示すようにインクペンユニット１９を用いて筆記すると、第１の実施形態と同様に圧力センサ１６からの筆圧検出信号がプロセッサ１２に送られる。一方、図６（ｂ）に示すように、インクペンユニット３９を用いて筆記すると、同様にして、圧力センサ３６からの筆圧検出信号がプロセッサ１２に送られる。
【００６８】
プロセッサ１２は、圧力センサ１６と圧力センサ３６のいずれかから信号が送られたかにより、記入モードと消去モードを切り替え、読取ユニット１３または読取ユニット３３を作動させる。すなわち、本実施形態では、これら圧力センサ１６と圧力センサ３６がモード切替手段を構成している。
【００６９】
利用者の記入や修正の流れは、修正時にインクペンユニット３９を用いて筆記を行い、記入ストロークデータの消去部分を指定する以外は第１の実施形態と同様である。プロセッサ１２の処理についても、上記のように記入モードと消去モードの判定を行う以外は図３等で説明したものと同様とできる。
【００７０】
本実施形態でも、第１の実施形態と同様の効果が得られる。更に、利用者は、インクペンユニット１９、３９のどちらを使用しているかにより、現在のモードが記入モードなのか消去モードなのかが容易にわかる利点がある。
【００７１】
なお、インクペンユニット３９は、インクペンユニット１９のインクを視覚的に消去するためのゴム等の消去手段に替えてもよい。この場合は、誤った筆記部分を視覚的に消去するとともに、その際のペン先（ゴム等）の軌跡を消去ストロークデータとして作成できる。記入ストロークデータの消去部分については、図５（ｂ）で説明した例と同様に、消去ストロークデータと位置が重複する部分を消去部分として特定すればよい。
【００７２】
以上、添付図面を参照しながら、本発明の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００７３】
１０、３０：電子ペン
１１：モード切替ボタン
１２：プロセッサ
１３、３３：読取ユニット
１４、３４：光源
１５、３５：カメラ
１６、３６：圧力センサ
１７：メモリ
１８：送信ユニット
１９、３９：インクペンユニット
４０：帳票
４１：ドットパターン
５０：サーバ
【図１】
2014035557.tif 000003
【図２】
2014035557.tif 000004
【図３】
2014035557.tif 000005
【図４】
2014035557.tif 000006
【図５】
2014035557.tif 000007
【図６】
2014035557.tif 000008
【図７】
2014035557.tif 000009